(57)【要約】【課題】本発明は、なりすまし耐性を有するバイオメトリック認証システムおよびその認証方法を提供することを目的とする。【解決手段】バイオメトリクスである指紋から抽出される情報と爪に貼付した人工物メトリクスから抽出される情報とから、両者の相対的位置関係を示す第３の認証情報を合成し、これを本人特定値として利用する。当該第３の認証情報は、被認証者が人工物メトリクスを爪に貼付する際に、ランダム的に決定されるものであるため、仮に指紋データと人工物メトリクスデータの両方が盗用されても、その二つの情報から上述した第３の認証情報を人為的に再現することは困難であり、なりすましの攻撃が好適に排除される。【選択図】図７
2008262267.tif 000002
【特許請求の範囲】
【請求項１】
個人認証を行う方法であって、
被認証者の指の爪に人工物メトリクスを貼付し、
前記指の指紋から抽出される情報と前記人工物メトリクスから抽出される情報の相対的な位置関係を示す第３の情報を前記被認証者の本人特定値として登録し、
前記第３の情報を照合して本人を確認する方法。
【請求項２】
前記人工物メトリクスは、ランダムパターンを含む、請求項１に記載の方法。
【請求項３】
前記相対的な位置関係を示す情報は、前記指紋の特徴点と前記ランダムパターンの重心位置の相対的な位置関係を示す情報である、請求項２に記載の方法。
【請求項４】
前記指紋の特徴点および前記ランダムパターンの重心位置を、共通するＸＹ座標系において座標化して前記相対的な位置関係を示す情報を抽出する、請求項３に記載の方法。
【請求項５】
前記共通するＸＹ座標系の座標軸が前記被認証者の指の爪の伸びる方向である、請求項４に記載の方法。
【請求項６】
指の爪に人工物メトリクスを貼付した被認証者の個人認証を行うシステムであって、
前記指の指紋から抽出される情報と前記人工物メトリクスから抽出される情報とを同時に取得するセンサ部と、
前記指紋から抽出される情報と前記人工物メトリクスから抽出される情報の相対的な位置関係を示す第３の情報を合成する処理部と、
前記第３の情報を前記被認証者の本人特定値として記憶する登録認証情報保管部とを含むシステム。
【請求項７】
前記人工物メトリクスは、ランダムパターンを含む、請求項６に記載のシステム。
【請求項８】
前記相対的な位置関係を示す情報は、前記指紋の特徴点と前記ランダムパターンの重心位置の相対的な位置関係を示す情報である、請求項７に記載のシステム。
【請求項９】
前記指紋の特徴点および前記ランダムパターンの重心位置を、共通するＸＹ座標系において座標化して前記相対的な位置関係を示す情報を抽出する、請求項８に記載のシステム。
【請求項１０】
前記共通するＸＹ座標系の座標軸が前記被認証者の指の爪の伸びる方向である、請求項９に記載のシステム。
【発明の詳細な説明】
【技術分野】
【０００１】
本発明は、個人認証技術に関し、より詳細には、なりすまし耐性を有するバイオメトリック認証技術に関する。
【背景技術】
【０００２】
従来、個人認証技術について様々な検討がなされており、代表的なものとしては、ユーザーＩＤやパスワードなど、本人しか知り得ないことを前提とした情報を利用して行う記憶認証、および、本人しか持ち得ないことを前提としたＩＣカードなどの占有物を利用して行う所有認証があった。しかしながら、記憶認証や所有認証においては、その認証情報や占有物を悪意の第三者によって盗用されたり、偽造されたりすることによる、いわゆる、なりすましのリスクを完全に排除することができないという問題があった。
【０００３】
この点に鑑み、近年、本人に固有の生体情報を利用して本人であることを自動的に確認する、いわゆるバイオメトリック認証について種々検討がなされており、その中でも、指紋認証技術を取り入れたシステムが幅広い分野で採用され始めている。バイオメトリック認証は、指紋などの生体的な情報がその性質上本人と一体不可分であるため、当然にして認証情報を忘失したり紛失したりする心配がないことに加え、認証のための占有物を別途携帯する必要がないという点において利便性に優れている。また、これまで、指紋などの生体情報は、盗用、偽造される可能性がほとんどないと考えられており、バイオメトリック認証の脆弱性は、他の記憶認証や所有認証のそれに比較して低いと考えられていた。しかしながら、最近、残留指紋から利用者の指紋の情報を悪意の第三者が取得し、これに基づいて人工的に模型指などを再現したなりすましが報告された。こうなると、認証情報としての利点であった生体情報の永続性が逆にシステムの運用において障害となる。すなわち、利用者は、先天的で不変的な生体情報を更新することなど当然できないため、当該利用者をセキュリティ・システムから外すか、当該利用者一人だけのためにシステム全体を設計変更することを余儀なくされる。
【０００４】
特開２００１−３５１０４７号公報（特許文献１）は、記憶認証および所有認証に対して指紋などの生体情報を利用したバイオメトリック認証を組み合わせることによって確度の高い認証結果を得る個人認証方法を開示する。しかし、この方法においては、認証情報を別途携帯する必要がないという上述したバイオメトリック認証の利便性が失われ、また、個々の認証情報についてのなりすましが可能であることに変わりがない。この点につき、特開２００６−４０１０９号公報（特許文献２）は、利用者の爪にバイオメトリクス情報のインデックス情報を記録した無線ＩＣチップを貼付し、指紋などのバイオメトリクス情報と、無線ＩＣチップに記録されたインデックス情報という２つの認証情報を用いることによって短時間で個人を認証する方法を開示する。特許文献２に開示された方法は、上記バイオメトリクス情報と上記インデックス情報の両方の照合一致を必要条件にするものではないが、仮にそのように構成したところで、特許文献１に比べてバイオメトリック認証の利便性は維持されるものの、個々の認証情報についてのなりすましが可能であることに依然変わりがない。すなわち、バイオメトリクス情報に他の任意の認証情報を複数組み合わせたところで、各認証情報についてのなりすましが可能なかぎり、セキュリティおよびシステムの運用性に対する潜在的な脅威は依然として残存する。
【特許文献１】特開２００１−３５１０４７号公報
【特許文献２】特開２００６−４０１０９号公報
【発明の開示】
【発明が解決しようとする課題】
【０００５】
本発明は、上記従来技術における課題に鑑みてなされたものであり、本発明は、なりすまし耐性を有するバイオメトリック認証システムおよびその認証方法を提供することを目的とする。
【課題を解決するための手段】
【０００６】
本発明者は、バイオメトリック認証の利便性を維持しつつ、なりすましによる潜在的な脅威に対する有効な対策を提供しうる新規な認証技術につき鋭意検討した結果、従来のバイオメトリクスと人工物メトリクスとから、人為的に再現することが困難な複合的認証情報を新たに合成しこれを利用することによって、なりすまし耐性を有する新規なハイブリッド型のバイオメトリック認証が実現されることを見出し、本発明に至ったのである。
【０００７】
すなわち、本発明によれば、個人認証を行う方法であって、被認証者の指の爪に人工物メトリクスを貼付し、前記指の指紋から抽出される情報と前記人工物メトリクスから抽出される情報の相対的な位置関係を示す第３の情報を前記被認証者の本人特定値として登録し、前記第３の情報を照合して本人を確認する方法が提供される。本発明においては、前記人工物メトリクスは、ランダムパターンを含むものとすることができ、前記相対的な位置関係を示す情報は、前記指紋の特徴点と前記ランダムパターンの重心位置の相対的な位置関係を示す情報とすることができる。
【０００８】
また、本発明によれば、前記指紋の特徴点および前記ランダムパターンの重心位置を、共通するＸＹ座標系において座標化して前記相対的な位置関係を示す情報を抽出することができ、前記共通するＸＹ座標系の座標軸を前記被認証者の指の爪の伸びる方向とすることができる。
【０００９】
また、本発明の別の構成によれば、指の爪に人工物メトリクスを貼付した被認証者の個人認証を行うシステムであって、前記指の指紋から抽出される情報と前記人工物メトリクスから抽出される情報とを同時に取得するセンサ部と、前記指紋から抽出される情報と前記人工物メトリクスから抽出される情報の相対的な位置関係を示す第３の情報を合成する処理部と、前記第３の情報を前記被認証者の本人特定値として記憶する登録認証情報保管部とを含むシステムが提供される。本発明においては、前記人工物メトリクスは、ランダムパターンを含むものとすることができ、前記相対的な位置関係を示す情報は、前記指紋の特徴点と前記ランダムパターンの重心位置の相対的な位置関係を示す情報とすることができる。
【００１０】
また、本発明によれば、前記指紋の特徴点および前記ランダムパターンの重心位置を、共通するＸＹ座標系において座標化して前記相対的な位置関係を示す情報を抽出することができ、前記共通するＸＹ座標系の座標軸を前記被認証者の指の爪の伸びる方向とすることができる。
【発明の効果】
【００１１】
上述したように、本発明によれば、バイオメトリック認証の利便性を維持しつつ、なりすまし耐性を有する新規なハイブリッド型のバイオメトリック認証システムおよびその認証方法が提供される。
【発明を実施するための最良の形態】
【００１２】
以下、本発明を図面に示した実施の形態をもって説明するが、本発明は、図面に示した実施の形態に限定されるものではない。なお、以下に示す図において、共通する要素については同じ符号を用い、その説明を省略するものとする。
【００１３】
本発明のハイブリッド型バイオメトリック認証は、被認証者の指紋と被認証者の爪に貼付した人工物メトリクスを利用して行われる。本発明において、人工物メトリクスとは、種々のランダム性を利用することによって人為的に再現することが困難な固有パターンを付与された人工物をいい、この点については後に説明する。本発明においては、被認証者の指紋から抽出される情報、および被認証者の爪に貼付する人工物メトリクスから抽出される情報に加え、上記２つ情報から新たに合成される第３の情報をその照合の対象とすることによって、なりすましによる脅威に対抗するものである。以下、その詳細について説明する。
【００１４】
図１は、本発明の実施形態であるハイブリッド型バイオメトリック認証システム（以下、認証システムとして参照する）のセンサ部１０を示す側面図であり、図２は、その上面図である。本実施形態の認証システムのセンサ部１０は、被認証者の指１２の爪部分１２ａの画像を取得するための第１の撮像手段１４と、被認証者の指１２の指紋部分１２ｂの画像を取得するための第２の撮像手段１６とを含んで構成される。本実施形態においては、被認証者が指１２を置くためのステージ１８をさらに含んで構成されている。図２に示されるように、ステージ１８上には、指１２を置くための領域Ｒが形成されており、領域Ｒは、ガラス等の光透過性の部材によって形成されている。図２（ｂ）に示されるように、指１２が領域Ｒに置かれると、領域Ｒを上から撮像可能な位置に位置決めされた撮像手段１４によって、指１２の爪部分１２ａが直接撮像される一方、領域Ｒを下から撮像可能な位置に位置決めされた撮像手段１６によって、指１２の指紋部分１２ｂが撮像される。本実施形態においては、ステージ１８がその内部にミラー等からなる光学系を含んで構成されており、図１に示されるように、指紋部分１２ｂの画像が上記光学系を介して撮像手段１６に結像するように構成されている。なお、本発明における撮像手段には、ＣＣＤカメラなどの撮像画像をデジタル信号に変換して出力しうる手段を用いることができる。
【００１５】
以上、説明したように、本発明のハイブリッド型バイオメトリック認証システムのセンサ部は、爪部分１２ａを撮像して爪部分１２ａに貼付された後述する人工物メトリクスの画像情報を取得するための人工物メトリクス読み取り部と、指紋部分１２ｂを撮像して指紋の画像情報を取得するための指紋読み取り部を含んで構成される。本発明におけるセンサ部の光学系は、人工物メトリクスの画像情報と指紋の画像情報とを同時に取得できるように設計されていればよく、その光学系は、上述した実施形態に限定されるものではない。たとえば、図３に示されるセンサ部２０のように、指紋部分１２ｂの画像に加え、爪部分１２ａの画像を複数のミラー２２から構成される光学系を介することによって、一つの撮像手段２４に結像するように構成することもできる。
【００１６】
図４は、本発明の認証システムの装置構成を示すブロック図である。図４に示されるように本発明の認証システムは、指紋読み取り部３２と人工物メトリクス読み取り部３４とを含むセンサ部３６と、指紋読み取り部３２から出力される指紋情報と人工物メトリクス読み取り部３４から出力される人工物メトリクス情報とを入力し所定の情報処理を行うためのパーソナル・コンピュータなどから構成される処理部３８と、被認証者に固有の認証情報を記憶するためのデータベースなどから構成される登録認証情報保管部４０とを含んで構成される。本発明の処理部３８においては、センサ部３６から出力された指紋情報と人工物メトリクス情報とから、被認証者に固有の一意な第３の認証情報が新たに合成されたのち、登録認証情報保管部４０に予め登録された認証情報との照合がなされる。以上、本発明の認証システムについて、その装置構成を中心に説明してきたが、次に、本発明の認証システムの機構について以下詳細に説明する。
【００１７】
まず、本発明における個人認証のアルゴリズムについて以下説明する。本発明における個人認証のアルゴリズムは、指紋情報の処理、人工物メトリクス情報の処理、および第３の認証情報の合成処理の三つの処理を含む。以下、それぞれの処理について説明する。なお、以下の本文中の説明においては、必要に応じて図４に示すブロック図を参照するものとする。
【００１８】
指紋情報の処理においては、従来の指紋認証のアルゴリズムとしてよく用いられるマニューシャ法を用いて、指紋の特徴点（マニューシャ）を抽出し、これをテンプレートとする。指紋の特徴点としては、隆線の端点や分岐点などを採用することができる。具体的には、上述した処理部３８において、センサ部３６の指紋読み取り部３２から入力された指紋の画像情報について、平滑化、二値化、および細線化の処理を加えたのち特徴点を抽出する。図５は、指紋の画像情報から抽出された特徴点を示す図である。図５中に示す×印は、特徴点として採用した隆線の分岐点を示す。処理部３８においては、この分岐点など指紋の特徴点がＸＹ座標系において座標化され、その座標値が位置情報として記憶される。
【００１９】
次に、人工物メトリクス情報の処理について、図６に例示する人工物メトリクス４１を参照して以下説明する。人工物メトリクス４１は、塗料などをランダムに分散・付着させることによって人為的に再現することが困難な一意的なランダムパターン４２を付与された円形のシール４４として形成され、被認証者の爪に簡単に貼付けることができるように構成されている。上述した処理部３８において、センサ部３６の人工物メトリクス読み取り部３４から入力された画像情報のうち、ランダムパターン４２の部分の画像情報について二値化、ラベリング処理を経たのち、重心位置検出が行われる。次に、検出された重心位置が、指紋の特徴点と共通するＸＹ座標系において座標化され、その座標値が位置情報として記憶される。なお、本発明における人工物メトリクスは、図６に示したような画像パターンに限定されるものではなく、人為的に再現することが困難な一意的な情報を備えるものであって、ＸＹ座標系の位置情報を導出することができるものであればよい。また、必ずしもシールである必要はなく、ランダムパターンを直接爪に転写するように構成することもできる。実際の運用においては、たとえば、通常の可視光下では見えず、ブラックライトなどの特殊な照明下だけで発光する塗料を用いるなど、日常的に貼付する被認証者の心理的負担をできるだけ低減するように人工物メトリクスを設計することが好ましい。
【００２０】
最後に、第３の認証情報の合成処理について説明する。第３の認証情報の合成処理においては、上述した手順で処理部３８に記憶された指紋の特徴点の位置情報とランダムパターン４２の位置情報から、両者の相対的な位置関係を示す情報である第３の認証情報が合成される。具体的には、図７に示す両者に共通するＸＹ座標系において、ランダムパターン４２の重心位置を通る水平の直線とＹ軸との交点の情報と×で示す指紋の特徴点を通る水平の直線とＹ軸との交点の情報、すなわちランダムパターン４２の重心位置のＹ座標値と指紋の特徴点のＹ座標値とを第３の認証情報として抽出し、この値をあらかじめ本人特定値として登録認証情報保管部４０に登録しておく。なお、センサ部３６からの入力画像情報から指の長手方向、すなわち爪の伸びる方向を特定し、この方向をＸ方向として第３の認証情報の合成処理におけるＸＹ座標を規定すれば、被認証者の爪が伸びてランダムパターン４２の重心位置のＸ座標値が経時的に変化したとしても、本人特定値として使用する第３の認証情報としてのＹ座標値は爪の伸びによる影響をほとんど受けないため好ましい。すなわち、本発明においては、上述したＸＹ座標のいずれか一方の座標軸方向を被認証者の爪が伸びる方向にすることが好ましい。ただし、上述したランダムパターン４２の重心位置のＹ座標値と指紋の特徴点のＹ座標値は、あくまで第３の認証情報の一つの例示であって、本発明における第３の認証情報は、上述した実施形態に限定されるものではなく、センサ部３６によって同時に取得された指紋から抽出される情報と人工物メトリクスから抽出される情報の相対的な位置関係を示す情報であればよい。以上、本発明における個人認証のアルゴリズムついて説明してきたが、次に、本発明の認証システムが、なりすましの攻撃に対してどのように対抗するのかを、図８に示すフローチャートを参照しながら、以下説明する。
【００２１】
本発明の認証システムを利用する被認証者は、まず、人工物メトリクスを任意の指の爪に貼付けたのち、センサ部３６に当該指を置いて本人特定値を登録認証情報保管部４０に登録することが前提となる。本発明の認証システムは、本人特定値として３つの認証情報を用いる。すなわち、バイオメトリクスとしての指紋の情報、人工メトリクスの情報、およびの上述した第３の認証情報である。本発明においては、これら３つの本人特定値の登録を、例えば本人によるパスワード入力などと共に行うことがより好ましい。
【００２２】
所定の開始条件に基づいて認証システムが起動したのち（ステップ１００）、指紋読み取り部３２によって指紋情報が取得され（ステップ１０２）、取得された情報と登録認証情報保管部４０に予め本人特定値として登録された指紋情報との照合が行われる（ステップ１０４）。ここで、ステップ１０２〜ステップ１０４によって行われる認証は、従来の一般的な指紋認証技術を用いたものであればよく、図５について上述した複数の特徴点に、各特徴点間の隆線の数を情報として加えたマニューシャ・リレーション法など、精度の高い方法を適宜選択することができる。ステップ１０４による照合の結果、不一致であればその旨が出力され（ステップ１０６）、認証システムがその処理を終了する（ステップ１０８）。ステップ１０４において、取得した指紋データが一致すれば、次に、人工物メトリクス読み取り部３４によって人工物メトリクス情報が取得され（ステップ１１０）、取得された情報と登録認証情報保管部４０に予め本人特定値として登録された人工物メトリクス情報との照合が行われる（ステップ１１２）。ここで、ステップ１１０〜ステップ１１２によって行われる認証は、従来の人工物メトリクスを用いた認証方法を用いたものであればよく、精度の高い方法を適宜選択することができる。ステップ１１２による照合の結果、不一致であればその旨が出力され（ステップ１０６）、認証システムがその処理を終了する（ステップ１０８）。以上、説明した処理フローは、従来の認証技術であるが、このような構成においては、指紋情報あるいは人工物メトリクス情報のいずれか一方のみが盗用された場合については対抗しうるが、指紋情報と人工物メトリクス情報の両方が盗用された場合については、なりすましに対抗することができず、認証システムをスルーしてしまうことが理解されよう。そこで、本発明においては、指紋と人工物メトリクスの両方において照合が一致した場合、引き続き、図７について上述した手順によって第３の認証情報が合成され（ステップ１１４）、合成されたデータと登録認証データ保管部４０に予め本人特定値として登録された第３の認証情報との照合が行われる（ステップ１１６）。ステップ１１６における照合の結果、不一致であればその旨が出力され（ステップ１０６）、認証システムがその処理を終了する（ステップ１０８）。一方、一致した場合は、本人認証がなされ、その旨が出力される（ステップ１１８）。なお、本発明においては、経時的な爪の伸びを考慮して、本人認証がなされる度に、ステップ１１４で合成された最新の位置情報を、登録認証情報保管部４０に登録されている第３の認証情報の登録情報として更新することが好ましい（ステップ１２０）。
【００２３】
本発明における第３の認証情報は、上述したように、指紋から抽出される情報と人工物メトリクスから抽出される情報の相対的な位置関係を示すものであり、当該位置関係は、被認証者が人工物メトリクスを爪に貼付する際に、その貼付位置および角度や貼付される指の立体形状などの要因が複合的に作用することによってランダム的に決定されるものである。したがって、仮に指紋データと人工物メトリクスデータの両方を盗用することができたとしても、その二つの情報から上述した第３の認証情報を再現することは困難であることから、なりすましによる攻撃を好適に排除することが可能となる。
【００２４】
以上説明したように、本発明の認証システムは、従来の指紋認証システムと同様にワンアクションで本人確認ができるという利便性を維持しつつ、悪意の第三者からのなりすましによる攻撃を有効に排除することができる。本発明の認証システムは、その高い利便性から、たとえば、入室管理など極めて使用頻度の高い場所に適用することができる。
【実施例】
【００２５】
以下、本発明の認証システムについて、実施例を用いてより具体的に説明を行なうが、本発明は、後述する実施例に限定されるものではない。
【００２６】
図１に示した認証システムを作製し、本システムの動作実験を行った。動作実験は、被験者の指の爪に図６に示した人工物メトリクスを貼付して行った。図９は、センサ部によって取得された画像情報を示す図であり、図９（ａ）は、指紋読み取り部３２によって取得された指紋部分の画像を示し、図９（ｂ）は、人工物メトリクス読み取り部３４によって取得された人工物メトリクスが貼付された爪部分の画像を示す。また、図１０は、処理部３８によって所定の画像処理を経た情報を示す図であり、図１０（ａ）は、画像処理後の指紋情報を示し、図１０（ｂ）は、画像処理後の人工物メトリクスのランダムパターンを示す。上述した条件で本システムにおいて１０回の認証を試みた結果、下記表１に示すように、全ての試行において本人認証に成功した。
【００２７】
【表１】
2008262267.tif 000003
【００２８】
次に、指紋と人工物メトリクスの両方が盗用された場合を想定して、本システムのなりすまし耐性を検証した。指紋および人工メトリクスに関しては、それらが精巧に再現されたと仮定して、登録者本人の指と上述した動作実験で用いたのと同じ人工メトリクスをそのまま用いて実験を行った。すなわち、登録者本人の指に対して、人工物メトリクスの付け直しを３回行い、それぞれを、なりすまし２Ａ、３Ａ、４Ａとした。各なりすまし状態について１０回の認証を試みた結果、下記表２に示すように、なりすまし２Ａ、３Ａ、４Ａのいずれのなりすましについても、１０回の試行のすべてについて、第３の認証情報の照合不一致により排除された。
【００２９】
【表２】
2008262267.tif 000004
【産業上の利用可能性】
【００３０】
以上、説明したように、本発明によれば、バイオメトリック認証の利便性を維持しつつ、なりすまし耐性を有する新規なハイブリッド型のバイオメトリック認証システムおよびその認証方法が提供される。本発明の個人認証システムおよび方法は、既存の指紋認証システムに付加的に適用することによって、そのなりすまし耐性の向上に寄与することが期待される。
【図面の簡単な説明】
【００３１】
【図１】本発明の認証システムのセンサ部を示す側面図。
【図２】本発明の認証システムのセンサ部を示す上面図。
【図３】本発明の認証システムのセンサ部を示す図。
【図４】本発明の認証システムの装置構成を示すブロック図。
【図５】指紋の画像情報から抽出された特徴点を示す図。
【図６】人工物メトリクスを示す図。
【図７】ＸＹ座標系におけるランダムパターンと指紋の特徴点を示す図。
【図８】本発明の認証フローチャートを示す図。
【図９】センサ部によって取得された画像情報を示す図。
【図１０】処理部によって所定の画像処理を経た情報を示す図。
【符号の説明】
【００３２】
１０…センサ部、１２…指、１４…第１の撮像手段、１６…第２の撮像手段、１８…ステージ、２０…センサ部、２２…ミラー、２４…撮像手段、３２…指紋読み取り部、３４…人工物メトリクス読み取り部、３６…センサ部、３８…処理部、４０…登録認証情報保管部、４１…人工物メトリクス、４２…ランダムパターン、４４…シール
【図１】
2008262267.tif 000005
【図２】
2008262267.tif 000006
【図３】
2008262267.tif 000007
【図４】
2008262267.tif 000008
【図５】
2008262267.tif 000009
【図６】
2008262267.tif 000010
【図７】
2008262267.tif 000011
【図８】
2008262267.tif 000012
【図９】
2008262267.tif 000013
【図１０】
2008262267.tif 000014